(57)【特許請求の範囲】
【請求項１】
生体試料中の可溶性インターロイキン２受容体を免疫学的に測定する方法において、測定用試料が、血清、ヘパリンを添加した血液試料、又はＥＤＴＡを添加した血液試料であって、該可溶性インターロイキン２受容体とそれに特異的に結合する抗体との免疫複合体の形成を硫酸化多糖類及びキレート剤の存在下で行うことを特徴とする、該可溶性インターロイキン２受容体を測定する方法。
【請求項２】
生体試料中の可溶性インターロイキン２受容体の免疫学的測定において、抗凝固剤としてヘパリンを添加した血液試料を用いた場合の測定値と、ＥＤＴＡを添加した血液試料を用いた場合の測定値と、血清を用いた場合の測定値との間の乖離を減少させる方法であって、可溶性インターロイキン２受容体とそれに特異的に結合する抗体との免疫複合体の形成を硫酸化多糖類及びキレート剤の存在下で行うことを特徴とする、前記方法。
【請求項３】
前記キレート剤を検体希釈液及び／又は抗体溶液に含有する、請求項１又は２に記載の方法。
【請求項４】
前記硫酸化多糖類を検体希釈液及び／又は抗体溶液に含有する、請求項１〜３のいずれか一項に記載の方法。
【請求項５】
可溶性インターロイキン２受容体に特異的に結合する第１抗体と第２抗体を生体試料中の可溶性インターロイキン２受容体と接触させ、抗原抗体反応により形成された第１抗体−可溶性インターロイキン２受容体−第２抗体免疫複合体を測定する、請求項１〜４のいずれか一項に記載の方法。
【請求項６】
請求項１〜５のいずれか一項に記載の方法のための、可溶性インターロイキン２受容体に特異的に結合する抗体、硫酸化多糖類を含有する緩衝液、及び、キレート剤を含有する緩衝液を含む、可溶性インターロイキン２受容体測定キット。
【発明の詳細な説明】
【技術分野】
【０００１】
本発明は、可溶性インターロイキン２受容体の免疫学的測定法およびキットに関する。特に、可溶性インターロイキン２受容体の免疫学的測定において、異種被検試料間の測定値乖離を抑制する免疫学的測定法およびキットに関する。
【背景技術】
【０００２】
抗原抗体反応により光学的に測定する免疫学的測定法において、フィブリノ−ゲンを含む生体試料中の微量成分を、ヘパリンやＥＤＴＡ等の抗凝固作用を有する物質を共存させてフィブリンの析出を阻止した状態で測定することを特徴とする、フィブリノ−ゲンを含む生体試料中微量成分の測定方法が知られている（特許文献１）。しかし、採取する採血管の違い、例えば、血清被検試料と血漿被検試料の測定値が乖離する現象が確認され問題になる場合がある。乖離の原因は測定対象項目により様々であり、これまでに知られている知見の一つには、血漿中に含まれるフィブリノーゲンの不溶化による血漿被検試料の測定値への影響が挙げられる。その影響を、界面活性剤を含む反応系に配位数３個以下のキレート剤を含ませることで回避する技術が知られている（特許文献２）。
【０００３】
インターロイキン−２（以下、ＩＬ−２と略することがある）は１３３個のアミノ酸からなるサイトカインである。ＩＬ−２は、主に免疫系への活性化に関与し、様々な生理活性を有しており、ＣＤ４＋やＣＤ８＋のＴ細胞より主に産生され、ナチュラルキラー細胞（ＮＫ細胞）からも産生される。
ＩＬ−２の受容体（以下、ＩＬ−２Ｒと略することがある）はα鎖、β鎖、γ鎖からなるが、α鎖の一部が細胞上から遊離した可溶性インターロイキン−２受容体（以下、ｓＩＬ−２Ｒと略することがある）が血中に存在することが知られている。ｓＩＬ−２Ｒは活性化Ｔ細胞、Ｂ細胞によって産生される。生体の免疫防御機構の活性化、Ｔ細胞系及びＢ細胞系などの活性化に伴い血中のｓＩＬ−２Ｒが上昇することが報告されている。血清中のｓＩＬ−２Ｒ濃度は、慢性関節リウマチ、全身性エリテマトーデス（ＳＬＥ）などの自己免疫疾患や、ウイルス性肝炎、後天性免疫不全症候群（ＡＩＤＳ）などのウイルス感染症の患者で高値を示し、体内の活性化リンパ球の指標の１つとなることが報告されている。また腫瘍細胞がｓＩＬ−２Ｒを産生し、成人Ｔ細胞白血病（ＡＴＬ）や非ホジキンリンパ腫の進行と血清中のｓＩＬ−２Ｒ濃度の変動が良く相関することが知られている。このように様々な免疫系の疾患や病態との関連が報告され、造血疾患のなかで有望な血液中のマーカーとなってきている。血清中のｓＩＬ−２Ｒ濃度は成人Ｔ細胞白血病においては病態モニタリングの指標など、非ホジキンリンパ腫においては治療効果の判定、寛解後のフォロー、再発の早期発見の指標などとして臨床的に有効活用されている。
【０００４】
種々のｓＩＬ−２Ｒの免疫学的測定法が報告されている（特許文献３）。
また、血清又は血漿中のｓＩＬ−２Ｒ定量用試薬としては、「デミタナーＣＬ  ＩＬ−２Ｒ」、「セルフリーＩＬ−２Ｒメデックス」（協和メデックス社製）、「シーメンス・イムライズＩＬ−２Ｒ  II」（シーメンス社製）等があり、臨床の現場で使用されている。
また、ＩＬ−２Ｒはマトリックスメタロプロテアーゼ９によりＴ細胞表面上のαサブユニット（ＣＤ２５）が血中に放出される。細胞表面抗原の切断及び血中への分泌に採血管中のＥＤＴＡが関与することも知られている（非特許文献１）。ｓＩＬ−２Ｒ測定としては、血清を使用することが多く、例えば、「デミタナーＣＬ  ＩＬ−２Ｒ」「セルフリーＩＬ−２Ｒメデックス」（協和メデックス社製）の場合には、血清のみが対象とされ、「シーメンス・イムライズＩＬ−２Ｒ  II」（シーメンス社製）の場合には、血清とヘパリン加血漿のみが対象とされている。このように、被検試料として、汎用的に簡便且つ高精度にｓＩＬ−２Ｒの免疫学的測定を行うことができなかった。
【先行技術文献】
【特許文献】
【０００５】
【特許文献１】特開平７−２０１２８号公報
【特許文献２】特許第５１８９０６７号公報
【特許文献３】特許第５５５９７４７号公報
【非特許文献】
【０００６】
【非特許文献１】The effects of anticoagulation and processing on assays of IL-6, sIL-6R, sIL-2R and soluble transferrin receptor. De Jongh et al., Cytokine (1997) Sep;9(9):696-701.
【発明の概要】
【発明が解決しようとする課題】
【０００７】
本発明者らは、後述する実施例でも詳述するが、免疫学的手法により生体試料（被検試料として血清及びヘパリン加血漿及びＥＤＴＡ加血漿）中のｓＩＬ−２Ｒを測定することを試みたところ、該生体試料から調製された測定用の被検試料（以下、検体と称する場合がある）の種類が異なることによって、測定値に違いが生じることに気がついた。
本発明は、生体試料中のｓＩＬ−２Ｒを検出する場合に、異なる血液凝固阻害剤の使用による血清、ヘパリン加血漿、ＥＤＴＡ加血漿といった被検試料の種類に関わらず、被検試料中の干渉物質の影響を受けることなく、汎用的に簡便且つ高精度な測定値を得ることができる測定方法及びキットを提供することを目的とする。
【課題を解決するための手段】
【０００８】
本発明者らは、上記のような現状に鑑みて鋭意検討を重ねた結果、血清及びヘパリン加血漿及びＥＤＴＡ加血漿中のｓＩＬ−２Ｒを免疫学的に測定する方法において、反応液中にキレート剤及び硫酸化多糖類が添加された条件下で、該ｓＩＬ−２Ｒを測定することによって、被検試料の種類に関わらず、被検試料中の干渉物質の影響を受けることなく汎用的に簡便且つ高精度な測定値を得ることを見出して、本発明を完成した。
【０００９】
よって、本発明は、
［１］生体試料中の可溶性インターロイキン２受容体を免疫学的に測定する方法において、該可溶性インターロイキン２受容体とそれに特異的に結合する抗体との免疫複合体の形成を硫酸化多糖類及びキレート剤の存在下で行うことを特徴とする、該可溶性インターロイキン２受容体を測定する方法、
［２］生体試料中の可溶性インターロイキン２受容体の免疫学的測定において、抗凝固剤としてヘパリンを添加した血液試料を用いた場合の測定値と、ＥＤＴＡを添加した血液試料を用いた場合の測定値と、血清を用いた場合の測定値との間の乖離を減少させる方法であって、可溶性インターロイキン２受容体とそれに特異的に結合する抗体との免疫複合体の形成を硫酸化多糖類及びキレート剤の存在下で行うことを特徴とする、前記方法、
［３］前記キレート剤を検体希釈液及び／又は抗体溶液に含有する、［１］又は［２］の方法、
［４］前記硫酸化多糖類を検体希釈液及び／又は抗体溶液に含有する、［１］〜［３］のいずれかの方法、
［５］可溶性インターロイキン２受容体に特異的に結合する第１抗体と第２抗体を接触させ、抗原抗体反応により形成された免疫複合体を測定する、［１］〜［４］のいずれかの方法、
［６］［１］〜［５］のいずれかの方法のための、可溶性インターロイキン２受容体に特異的に結合する抗体、硫酸化多糖類を含有する緩衝液、及び、キレート剤を含有する緩衝液を含む、該可溶性インターロイキン２受容体測定キット
に関する。
【発明の効果】
【００１０】
本発明の方法、及び試薬キットを用いることにより、生体試料中のｓＩＬ−２Ｒを、被検試料（血清及びヘパリン加血漿及びＥＤＴＡ加血漿）の種類に関わらず、被検試料中の干渉物質の影響を受けることなく、汎用的に簡便且つ精度よく測定することができる。
【発明を実施するための形態】
【００１１】
本発明における生体試料とは、ヒト等から採取されたｓＩＬ−２Ｒを含む可能性がある試料である。生体試料としては、全血、血清、血漿などの血液試料などが挙げられるが、特に被検試料に、血清及びヘパリン加血漿及びＥＤＴＡ加血漿が含まれることが好ましい。
【００１２】
本発明に使用可能な被検試料（検体）としては、前記生体試料から調製することができる測定用試料であれば良く、例えば、血液試料を対象とした場合には、血液凝固阻害剤を使用して得た全血、血清、血漿などの検体が挙げられる。血液凝固阻害剤としては、例えば、ヘパリン、ＥＤＴＡ、クエン酸等を用いることができる。これらは、好ましくは、ヒト等の測定対象から採血を行う際に、あらかじめ採血管等に添加して用いることができる。本発明によれば、血清及びヘパリン加血漿及びＥＤＴＡ加血漿を、いずれかに限定することなく対象とすることができるので好ましい。
【００１３】
本発明で対象とする可溶性インターロイキン２受容体（ｓＩＬ−２Ｒと略することがある）とは、主に免疫細胞であるＴ細胞の膜上に存在し、リガンドであるインターロイキン２と複合体を形成し、Ｔ細胞機能の活性化を促進するなど、免疫反応に関与している受容体である２）。インターロイキン２受容体は３種類サブタイプを持ち、その中のαサブユニットは細胞膜から単離し、血中に存在することが知られている。可溶性インターロイキン２受容体はインターロイキン２との結合性を保持することから、生体の免疫調節にも関与しているとされ、臨床現場では主に急性白血病のマーカーとして使用されている。
【００１４】
本発明で使用可能な免疫学的測定法は、測定対象物質に特異的な抗体を使用する公知の方法であれば良い。例えば、免疫比濁法（ＴＩＡ）、酵素免疫測定法（ＥＩＡ）、放射免疫測定法（ＲＩＡ）、ラテックス凝集反応法、蛍光免疫測定法、イムノクロマト法等が挙げられる。具体的には、反応液中で、被検試料中の測定対象物質と該測定対象物質に特異的な抗体との免疫複合体を形成させ、その形成されたことによるシグナルを適宜検出することで該測定対象物質の存在を検出する方法である。測定系によって使用する抗体は決定することができるが、高感度に定量的に測定する際には、２種類以上の抗体を使用するサンドイッチ免疫学的測定法（サンドイッチイムノアッセイ）を選択することができる。サンドイッチ免疫学的測定法の方法は、１以上の段階（２段階、３段階など）で実施してもよい。
【００１５】
例えば、生体試料中に含まれるｓＩＬ−２Ｒを測定対象物質として、これを測定する場合には、前述のように該生体試料から調製された検体を、更に検体希釈液で測定用検体として調製し、ｓＩＬ−２Ｒに特異的に結合する抗体（第１抗体）を担持させた不溶性担体、および標識物質で標識化された第１抗体とは異なるｓＩＬ−２Ｒに特異的に結合する抗体（第２抗体）とを混合して免疫複合体を形成させ、洗浄によって未反応の抗体およびｓＩＬ−２Ｒを除去（Ｂ／Ｆ分離）した後、不溶性担体に結合した標識物質の量を測定することによって行うことができる。
【００１６】
上記の不溶性担体は、当該技術において通常用いられるものを用いることができる。不溶性担体の材料としては、例えば、ラテックス、ゴム、ポリエチレン、ポリプロピレン、ポリスチレン、スチレン−ブタジエン共重合体、ポリ塩化ビニル、ポリ酢酸ビニル、ポリアクリルアミド、ポリメタクリレート、スチレン−メタクリレート共重合体、ポリグリシジルメタクリレート、アクロレイン−エチレングリコールジメタクリレート共重合体、ポリビニリデンジフルオライド（ＰＶＤＦ）、シリコーンなどのポリマー材料；アガロース；ゼラチン；赤血球；シリカゲル、ガラス、不活性アルミナ、磁性体などの無機材料などが挙げられる。これらの１種又は２種以上を組み合わせてもよい。
【００１７】
また、不溶性担体の形状としては、マイクロタイタープレート、試験管、ビーズ、粒子、ナノ粒子などが挙げられる。粒子としては、磁性粒子、ポリスチレンラテックスのような疎水性粒子、粒子表面にアミノ基、カルボキシル基などの親水基を有する共重合ラテックス粒子、赤血球、ゼラチン粒子などが挙げられる。中でも、迅速簡便なＢ／Ｆ分離を実現する観点においては磁性粒子が特に好ましく、具体的には、例えば、四酸化三鉄（Ｆｅ３Ｏ４）、三酸化二鉄（Ｆｅ２Ｏ３）、種々のフェライト、鉄、マンガン、ニッケル、コバルト、クロムなどの金属、コバルト、ニッケル、マンガンなどの合金からなる微粒子等の磁性粒子が好ましく用いられる。また、これらの磁性粒子を、ポリスチレン等の高分子のラテックスや、ゼラチン、リポソーム等の内部に含まれる形で調製したり、表面に固定化したものを好ましく用いることができる。
【００１８】
これらの不溶性担体に第１抗体を固定化させる方法は、当該技術において公知である。該固定化は、例えば物理的吸着法、共有結合法、イオン結合法、これらの組み合わせなどにより行うことができる。
【００１９】
標識物質は、通常の免疫学的測定法において用い得る標識物質であれば特に限定されず、例えば、酵素、蛍光物質、放射性同位元素、不溶性粒状物質などが挙げられる。該標識用の酵素としては、アルカリホスファターゼ、ペルオキシダーゼ、グルコースオキシダーゼ、チロシナーゼ、酸性ホスファターゼなどが上げられる。蛍光物質としては、フルオレセインイソチオシアネート（ＦＩＴＣ）、グリーン蛍光タンパク質（ＧＦＰ）、ルシフェリンなどが上げられる。放射性同位元素としては、１２５Ｉ、１４Ｃ、３２Ｐなどが挙げられる。
【００２０】
また、標識物質が酵素である場合、該酵素に対する基質を用いて発光、蛍光又は発色反応を行うことにより、標識物質を測定できる。例えば、酵素がアルカリホスファターゼである場合、基質としては、ＣＤＰ−ｓｔａｒ（登録商標）（４−クロロ−３−（メトキシスピロ｛１，２−ジオキセタン−３，２’−（５’−クロロ）トリシクロ［３．３．１．１３，７］デカン｝−４−イル）フェニルリン酸２ナトリウム）、ＣＳＰＤ（登録商標）（３−（４−メトキシスピロ｛１，２−ジオキセタン−３，２−（５’−クロロ）トリシクロ［３．３．１．１３，７］デカン｝−４−イル）フェニルリン酸２ナトリウム）、ＡＭＰＰＤ（登録商標）（アダマンチルメトキシフェニルホスホリルジオキシセタン）、ＡＰＳ−５などの化学発光基質；４−メチルウンベリフェリルフォスフェート（４−ｍｅｔｈｙｌｕｍｂｅｌｌｉｆｅｒｙｌｐｈｏｓｐｈａｔｅ）などの蛍光基質；ｐ−ニトロフェニルホスフェート、ＢＣＩＰ（５−ブロモ−４−クロロ−３−インドリル−リン酸）、ＮＢＴ（４−ニトロブルーテトラゾリウムクロリド）、ＩＮＴ（ヨードニトロテトラゾリウム）などの発色基質を用いることができる。
【００２１】
本発明において用いられるｓＩＬ−２Ｒに特異的に結合する抗体は、当業者であれば公知のものを適宜選択して使用することができる。例えば、ｓＩＬ−２Ｒのアミノ酸配列や立体構造等をエピトープとして認識するモノクローナル抗体、またはポリクローナル抗体であれば特に限定するものではないが、例えば、抗体ＡＭ９２．３（ピアース社製）、モノクローナル抗体７Ｇ７／Ｂ６（ピアース社製）、ＭＡＢ２２３（Ｒ＆Ｄ  Ｓｙｓｔｅｍｓ社製）、ＭＡＢ６２３（Ｒ＆Ｄ  Ｓｙｓｔｅｍｓ社製）、ＭＡＢ１０２０（Ｒ＆Ｄ  Ｓｙｓｔｅｍｓ社製）、ＹＮＲｈＩＬ２Ｒ（ＳＡＮＴＡ  ＣＲＵＺ  ＢＩＯＴＥＣＨＮＯＬＯＧＹ社製）、ＩＬ２Ｒ．１（アブカム社製）、Ｂ−Ｂ１０（Ｌｉｆｅｔｅｃｈｎｏｌｏｇｉｅｓ社製）、ＥＰＲ６４５２（Ｇｅｎｅｔｅｘ社製）、ＯＡＰＡ００００４（ＡＶＩＶＡ  ｓｙｓｔｅｍ  ｂｉｏｌｏｇｙ社製）、ＤＭ２５４−０５（Ａｃｒｉｓ  ａｎｔｉｂｏｄｉｅｓ社製）等が挙げられる。
【００２２】
これらの抗体は、公知の方法に従って、例えば、ｓＩＬ−２Ｒの場合には、ヒトＴ細胞から精製したｓＩＬ−２Ｒや、ｉｎ  ｖｉｔｒｏで作製したリコンビナントのｓＩＬ−２Ｒなどを抗原とし、動物に免疫して作製し、更に、エピトープを決定することができる。エピトープとは、抗体が認識する最少の領域だけでなく、抗体が認識可能な領域として同定されたものを意味する。また、公知の方法で調製可能なＦａｂなどの抗体フラグメントであってもよい。また、これらの抗体は、Ｇｅｎｗａｙ  Ｂｉｏｔｅｃｈ社、Ｄｉａｃｌｏｎｅ社、Ｓａｎｔａ  Ｃｒｕｚ社、Ｒ＆Ｄ  Ｓｙｓｔｅｍｓ社、などから適宜購入することができる。
【００２３】
本発明の測定において、２種類の抗体を使用する場合、生体試料中のｓＩＬ−２Ｒと免疫複合体を形成することが可能であれば、限定するものではないが、第１抗体と第２抗体が認識するエピトープが異なる方が好ましい。また、モノクローナル抗体とポリクローナル抗体は適宜組み合わせて使用することができる。また、第１抗体および第２抗体は、それぞれ１種類に限定することなく２種類以上を併用することができる。
【００２４】
本発明における硫酸化多糖類及びキレート剤の添加は、上記の免疫学的測定法において、ｓＩＬ−２Ｒと該ｓＩＬ−２Ｒに特異的に結合する抗体の少なくとも第一回目の免疫複合体形成時（反応液中）に存在するように行われば良い。具体的には、免疫複合体形成時（反応液中）に同時に添加されても良いが、複合体形成前（前記抗体と前記測定対象物質含有検体が接触する前）に、検体に添加されても良い。該硫酸化多糖類と該キレート剤は、同時に添加されても良いし、別々に添加されても良い。当業者であれば、適宜、設定することができる。
【００２５】
また、添加される硫酸化多糖類及びキレート剤は、公知の緩衝液に溶解されて溶液として調製され得る。緩衝剤の他、単独で調製されても良いが、検体の前処理や、反応時に必要な公知の物質と共に調製されても良い。硫酸化多糖類及びキレート剤は、前記のように、少なくとも免疫複合体形成時（反応液中）に添加されていれば良いので、その際に存在させることが可能な緩衝液等に含有させることができる。免疫複合体形成時に存在させることが可能な緩衝液等とは、使用する測定法や装置によって適宜設定可能であるが、例えば、検体希釈液や、抗体溶液（抗体固相粒子液や、標識抗体液など）などが挙げられる。また、複数の緩衝液に添加させても良い。該硫酸化多糖類と該キレート剤は、同じ緩衝剤に添加されても良いし、別々の緩衝剤に添加されても良い。当業者であれば、適宜、設定することができる。
【００２６】
本発明における硫酸化多糖類としては、硫酸デキストラン、βシクロデキストリン硫酸、Ｎ−アセチルヘパリン（ＮＡＨ）、Ｎ−アセチル−脱−Ｏ−硫酸化−ヘパリン（ＮＡ−ｄｅ−ｏ−ＳＨ）、脱−Ｎ−硫酸化−ヘパリン（Ｄｅ−ＮＳＨ）、脱−Ｎ−硫酸化−アセチル化−ヘパリン（Ｄｅ−ＮＳＡＨ）、過ヨウ素−酸酸化ヘパリン（ＰＯＨ）、化学的硫酸化ラミナリン（ＣＳＬ）、化学的硫酸化アルギン酸（ＣＳＡＡ）、化学的硫酸化ペクチン（ＣＳＰ）、ヘパリン−誘導オリゴ糖（ＨＤＯ）、ペントサンポリサルフェート（ＰＰＳ）、およびフコイダン等が挙げられる。好ましくは、硫酸デキストラン、βシクロデキストリン硫酸が挙げられる。該物質が、反応液中でイオンとして存在できるように供給されればどのような形態で添加されても良いが、例えば、塩化硫酸化多糖類、臭化硫酸化多糖類等が挙げられ、具体的には、塩化リチウム、塩化ナトリウム、塩化カリウム、塩化カルシウム、塩化マグネシウム、塩化アンモニウム、臭化リチウム、臭化ナトリウム、臭化カリウム、臭化カルシウム、臭化マグネシウム、臭化アンモニウム等が挙げられ、塩化ナトリウムが好ましい。
【００２７】
本発明における硫酸化多糖類の濃度としては、前記免疫複合体形成時の濃度として、０．００００００４％より大きく、０．０００００４％以上、好ましくは０．００００４％以上、より好ましくは０．０００４％以上、より好ましくは０．００４％以上、より好ましくは０．０４％以上、より好ましくは０．０１％以上、より好ましくは０．０２％以上、また、１％以下、好ましくは０．４％以下、より好ましくは０．０４％以下の範囲から適宜組み合わせて選択される。本発明では、生体試料中の硫酸化多糖類（例えば、ヘパリン加血漿中のヘパリン）の存在にかかわらず、反応液中の硫酸化多糖類が上記の濃度範囲となるように存在させておくものである。尚、反応液中の硫酸化多糖類をあまり高めると、抗原抗体反応が抑制（阻害）されて目的の測定が精度よく行なうことができなくなるので、注意が必要である。また、本発明に従って検体の種類に関係なく安定して高精度に生体試料中のｓＩＬ−２Ｒを測定するために、検体に含まれるｓＩＬ−２Ｒの量や使用する硫酸化多糖や組み合わせて使用するキレート剤によって、添加する濃度を決定することは設計の範囲である。
例えば、デキストラン硫酸（分子量２０，０００）は０．０００００４％以上０．０４％以下、デキストラン硫酸（分子量４，０００）は０．０００４％以上０．０４％以下、βシクロデキストリン硫酸塩は０．０２％以上０．４％以下等が挙げられる。
【００２８】
本発明におけるキレート剤としては、Ｂｉｃｉｎｅ［Ｎ，Ｎ−ビス（２−ヒドロキシエチル）グリシン］、ＣｙＤＴＡ（トランス−１，２−ジアミノシクロヘキサン−Ｎ，Ｎ，Ｎ’，Ｎ’−四酢酸）、ＤＴＰＡ（ジエチレントリアミン−Ｎ，Ｎ，Ｎ’，Ｎ’’，Ｎ’’−五酢酸）、ＥＤＴＡ（エチレンジアミン−Ｎ，Ｎ，Ｎ’，Ｎ’−四酢酸）、ＥＤＤＰ（エチレンジアミン−Ｎ，Ｎ’−二プロピオン酸）、ＥＤＴＡ−ＯＨ［Ｎ−（２−ヒドロキシエチル）エチレンジアミン−Ｎ，Ｎ’，Ｎ’−三酢酸］、ＥＧＴＡ［Ｏ，Ｏ’−ビス（２−アミノエチル）エチレングリコール−Ｎ，Ｎ，Ｎ’，Ｎ’−四酢酸］、ＨＩＤＡ［Ｎ−（２−ヒドロキシエチル）イミノ二酢酸］、ＩＤＡ（イミノ二酢酸）、ＮＴＡ（ニトリロ三酢酸）、ＮＴＰＯ［ニトリロトリス（メチレンホスフィン酸）］、ＴＰＥＮ［Ｎ，Ｎ，Ｎ’，Ｎ’−テトラキス（２−ピリジルメチル）エチレンジアミン］、ＴＴＨＡ（トリエチレンテトラミン−Ｎ，Ｎ，Ｎ’，Ｎ’’，Ｎ’’’，Ｎ’’’−六酢酸）、グルコン酸、クエン酸、ＡＤＡ［Ｎ−（２−アセトアミド）イミノ二酢酸］、Ｔｒｉｃｉｎｅ｛Ｎ−［トリス（ヒドロキシメチル）メチル］グリシン｝、Ｔｒｉｓ｛Ｎ−［トリス（ヒドロキシメチル）メチル］グリシン｝等が挙げられる。好ましくは、ＥＤＴＡ、ＣｙＤＴＡ、ＴＴＨＡ、ＥＧＴＡ、ＤＰＴＡ、ＮＴＡが挙げられ、より好ましくは、ＥＤＴＡ、ＴＴＨＡ、ＮＴＡが挙げられる。該キレート剤が、反応液中でイオンとして存在できるように供給されればどのような形態で添加されても良いが、例えば、塩化物キレート、臭化物キレート等が挙げられ、具体的には、塩化リチウム、塩化ナトリウム、塩化カリウム、塩化カルシウム、塩化マグネシウム、塩化アンモニウム、臭化リチウム、臭化ナトリウム、臭化カリウム、臭化カルシウム、臭化マグネシウム、臭化アンモニウム等が挙げられ、塩化ナトリウムが好ましい。
【００２９】
本発明におけるキレート剤の濃度としては、前記免疫複合体形成時の濃度として、０．００４ｍｍｏｌ／Ｌより大きく、０．０２ｍｍｏｌ／Ｌ以上、好ましくは０．０４ｍｍｏｌ／Ｌ以上、より好ましくは０．０８ｍｍｏｌ／Ｌ以上、また、１０ｍｍｏｌ／Ｌ以下、好ましくは６ｍｍｏｌ／Ｌ以下、より好ましくは４ｍｍｏｌ／Ｌ以下、更に好ましくは２ｍｍｏｌ／Ｌ以下の範囲から適宜組み合わせて選択される。本発明では、生体試料中のキレート剤（例えば、ＥＤＴＡ加血漿中のＥＤＴＡ）の存在にかかわらず、反応液中のキレートイオンが上記の濃度範囲となるように存在させておくものである。尚、反応液中のキレートイオン濃度をあまり高めると、抗原抗体反応が抑制（阻害）されて目的の測定が精度よく行なうことができなくなるので、注意が必要である。また、本発明に従って検体の種類に関係なく安定して高精度に生体試料中のｓＩＬ−２Ｒを測定するために、検体に含まれるｓＩＬ−２Ｒの量や使用するキレート剤や組み合わせて使用する硫酸化多糖類によって、添加する濃度を決定することは設計の範囲である。
例えば、ニトリロトリ酢酸は０．０８ｍｍｏｌ／Ｌ以上０．３８ｍｍｏｌ／Ｌ以下、エチレンジアミン四酢酸は０．０８ｍｍｏｌ／Ｌ以上３．８５ｍｍｏｌ／Ｌ以下、トリエチレンテトラミン六酢酸は０．０２ｍｍｏｌ／Ｌ以上１．９２ｍｍｏｌ／Ｌ以下等が挙げられる。
【００３０】
本発明における硫酸化多糖類及びキレート剤の濃度や種類は、後述の実施例に示すように、ＥＤＴＡを添加した血液試料（ＥＤＴＡ加血漿）、ヘパリンを添加した血液試料（ヘパリン加血漿）と、それ以外の血液試料（血清）とを用意し、複数の異なる濃度の硫酸化多糖類やキレート剤の存在下で、各血液試料中のｓＩＬ−２Ｒを測定し、両試料の測定値が一致する硫酸化多糖類やキレート剤の濃度範囲を把握することにより、当業者であれば容易に決定することができる。すなわち、本発明における硫酸化多糖類やキレート剤の濃度や種類は、抗凝固剤としてＥＤＴＡを添加した血液試料（ＥＤＴＡ加血漿）及びヘパリンを添加した血液試料（ヘパリン加血漿）を用いた場合の測定値と、それ以外の血液試料（血清）を用いた場合の測定値とが一致する濃度範囲から選択することができる。測定値が一致するとは、具体的には、測定値（測定機器から提供された光学カウントや標準物質を用いて計算された濃度等）が、マイナス１０％〜プラス１０％の間に入っていることを意味する。一般的に、この間に入っていれば、臨床的に有用であるとすることができる。
【００３１】
本発明のキットは、本発明の方法を実施するために用いることができ、ｓＩＬ−２Ｒに特異的に結合する抗体と、硫酸化多糖類を含有する緩衝液と、キレート剤を含有する緩衝液を含む。該硫酸化多糖類とキレート剤は、同じ緩衝液に添加されていても良いし、異なる緩衝液に添加されていても良い。
【００３２】
測定対象物質に特異的に結合する抗体とは、前述した公知の抗体を使用することができるし、モノクローナル抗体又はポリクローナル抗体のいずれであることもできる。また、心筋トロポニンへの特異的結合能を保持する抗体断片、例えば、Ｆａｂ、Ｆａｂ’、Ｆ（ａｂ’）２、又はＦｖとして、キットに用いることもできる。
【００３３】
更に、前記抗体は、そのままの状態でキットに用いることもできるし、利用する免疫学的手法に基づいて、それに適した形態、例えば、ラテックス凝集免疫測定法を利用するのであれば、ラテックス担体に固定した状態で、磁性粒子などを利用した高感度測定法を利用するのであれば、磁性粒子に固定した状態で、イムノクロマトグラフ法などの基板を利用する方法であれば、基板に固定した状態で、標識物質（例えば、酵素、蛍光物質、化学発光物質、放射性同位体、ビオチン、アビジン）による標識の必要があれば、標識化した状態で、キットに用いることもできる。
【００３４】
前記硫酸化多糖類及び／又はキレート剤を含む緩衝液としては、前述を参照すれば良いが、例えば、検体希釈液や、抗体溶液（抗体固相粒子液や、標識抗体液など）などが挙げられる。好ましくは、検体希釈液として調製されていると良い。
【００３５】
また、本発明のキットには、本発明のキットを使用する免疫学的測定法の実施手順に関する説明、キット自体の保存・取り扱いなどに関する注意事項などが記載された取扱説明書を含むことができる。
【実施例】
【００３６】
以下、実施例によって本発明を具体的に説明するが、これらは本発明の範囲を限定するものではない。
【００３７】
《参考例１：可溶性インターロイキン２受容体測定用試薬の作製と測定》
参考例１−１：可溶性インターロイキン２受容体測定用試薬の作製と被検試料の調製
可溶性インターロイキン２受容体の測定用試薬として、可溶性インターロイキン２受容体（ｓＩＬ−２Ｒ）測定用の試薬を作製した。
【００３８】
・検体希釈液：０．１ｍｏｌ／Ｌ  ＨＥＰＥＳ（８．０）、０．１５ｍｏｌ／Ｌ  ＮａＣｌ、０．０５％  Ｔｗｅｅｎ２０を含む緩衝液を使用した。
【００３９】
・第１抗体溶液：磁性ラテックス粒子（ＪＳＲ社）にｓＩＬ−２Ｒを認識するマウスモノクローナル抗体（Ｒ＆Ｄ  Ｓｙｓｔｅｍｓ社製）を結合した磁性粒子溶液を用いた。
【００４０】
・第２抗体溶液：ｓＩＬ−２Ｒを認識する別のマウスモノクローナル抗体（Ｒ＆Ｄ  Ｓｙｓｔｅｍｓ社製）をマレイミド法によりアルカリホスファターゼ（ＡＬＰ）標識した標識抗体溶液を用いた。
【００４１】
・発光基質溶液：ＣＤＰ−ｓｔａｒ（アプライドバイオシステム社製）を使用した。
【００４２】
・Ｂ／Ｆ洗浄液：０．０１ｍｏｌ／Ｌ  ＭＯＰＳ（７．５）、０．１５ｍｏｌ／Ｌ  ＮａＣｌ、０．０５％  Ｔｒｉｔｏｎ  Ｘ−１００を含む緩衝液を使用した。
【００４３】
・標準品：組み換えｓＩＬ−２Ｒ（Ｒ＆Ｄ  Ｓｙｓｔｅｍｓ社製）を１０００００、４００００、２５００、５００、０Ｕ／ｍＬになるように希釈したものを用いた。希釈には０．０５ｍｏｌ／Ｌ  ＰＢＳ（７．４）、０．０５％  Ｔｗｅｅｎ２０、０．１％  ＢＳＡ、０．０５％  アジ化ナトリウムを含む緩衝液を使用した。
【００４４】
・被検試料（検体）は、常法に従って健常人から取得した血清、ヘパリン加血漿、ＥＤＴＡ加血漿を用いた。
【００４５】
参考例１−２：可溶性インターロイキン２受容体測定用試薬による測定
全自動臨床検査システム（ＳＴＡＣＩＡ：ＬＳＩメディエンス社製）による測定
ＳＴＡＣＩＡ専用ボトルに、調製した検体希釈液、第１抗体溶液（磁性ラテックス試薬）、第２抗体溶液（酵素標識抗体試薬）をそれぞれ充填し、装置にセットした。以下、前記装置の運転方法に従い、測定した。
具体的には、検体５μＬに検体希釈液５０μＬを加え、３７℃で３．５分間加温した後、第１抗体溶液（磁性ラテックス試薬）２５μＬを加え、３７℃で４．２分間加温した。検体中のｓＩＬ−２Ｒは第１抗体（磁性ラテックス）と反応し、磁性ラテックス−ｓＩＬ−２Ｒ複合体を形成した。次いで、第２抗体溶液（酵素標識抗体試薬）５０μＬを加え、３７℃で４．４分間加温した。第２抗体溶液（ＡＬＰ標識抗体）を加えると、ＡＬＰ標識抗体は磁性ラテックス−ｓＩＬ−２Ｒ複合体と反応し、磁性ラテックス−ｓＩＬ−２Ｒ−ＡＬＰ標識抗体複合体を形成した。Ｂ／Ｆ洗浄液により洗浄した後、発光基質溶液（ＣＤＰ−Ｓｔａｒ）１００μＬを加え、３７℃で２．７分間反応後に発光量を測定した。ＣＤＰ−Ｓｔａｒを加えると、ＣＤＰ−Ｓｔａｒは複合体中のＡＬＰにより加水分解され発光する。検出は、光電子増倍管（ＰＭＴ）により検出される化学発光基質の発光カウントを測定し、前記標準品を使用し、公知の方法に従って、発光カウントから各濃度（Ｕ／ｍＬ）を算出した。
【００４６】
《実施例１：反応液への硫酸化多糖類及びキレート剤の添加によるｓＩＬ−２Ｒの反応性への影響１》
βシクロデキストリン硫酸塩を、反応液中に０．０４％になるように検体希釈液に添加したこと、及び、各キレート剤を、反応液中に下記の濃度になるように検体希釈液に添加したこと以外は、参考例１に従って行った。
・ニトリロトリ酢酸を、反応液中に各濃度（０、０．０４、０．０８、０．３８ｍｍｏｌ／Ｌ）になるように検体希釈液に添加した。
・エチレンジアミン四酢酸（ＥＤＴＡ）を、反応液中に各濃度（０、０．０２、０．０４、０．０８、０．１５、０．７７、１．９２、３．８５ｍｍｏｌ／Ｌ）になるように検体希釈液に添加した。
・トリエチレンテトラミン六酢酸を、反応液中に各濃度（０、０．００４、０．０２、０．０４、０．３８、１．９２ｍｍｏｌ／Ｌ）になるように検体希釈液に添加した。
それ以外は、参考例１に従って行った。
【００４７】
その結果を表１に示す。ヘパリン加血漿又はＥＤＴＡ加血漿のカウントを血清のカウントで割った後１００を掛けたものを、ヘパリン加血漿／血清、又は、ＥＤＴＡ加血漿／血清として示した。
その結果、従来使用されているキレート剤添加の無い検体希釈液だと、血清およびヘパリン加血漿とＥＤＴＡ加血漿では、可溶性インターロイキン２受容体の反応性が異なることがわかった。さらに、ニトリロトリ酢酸は０．０８ｍｍｏｌ／Ｌ以上０．３８ｍｍｏｌ／Ｌ以下、エチレンジアミン四酢酸は０．０８ｍｍｏｌ／Ｌ以上３．８５ｍｍｏｌ／Ｌ以下、トリエチレンテトラミン六酢酸は０．０２ｍｍｏｌ／Ｌ以上１．９２ｍｍｏｌ／Ｌ以下添加されることにより、血清およびヘパリン加血漿はＥＤＴＡ加血漿の可溶性インターロイキン２受容体の反応性が一致することが確認された。血清とヘパリン加血漿及びＥＤＴＡ加血漿の反応性を一致させるには、硫酸基を持つ多糖類及びキレート剤の添加が必要であることが示された。
【００４８】
【表１】
0006697314.tif 000002
【００４９】
《実施例２：反応液への硫酸化多糖類及びキレート剤の添加によるｓＩＬ−２Ｒの反応性への影響２》
エチレンジアミン四酢酸を、反応液中に０．１５ｍｍｏｌ／Ｌになるように添加したこと及び、各硫酸化多糖類を、反応液中に下記の濃度になるように検体希釈液に添加したこと以外は、参考例１に従って行った。
・デキストラン硫酸（分子量２０，０００）を、反応液中に各濃度（０．００００００４、０．０００００４、０．００００４、０．０００４、０．００４、０．０４％）になるように検体希釈液に添加した。
・デキストラン硫酸（分子量４，０００）を、反応液中に各濃度（０．０００００４、０．００００４、０．０００４、０．００４、０．０４％）になるように検体希釈液に添加した。
・βシクロデキストリン硫酸塩を、反応液中に各濃度（０．００４、０．０１、０．０２、０．０４、０．０８、０．２、０．４％）になるように検体希釈液に添加した。
それ以外は、参考例１に従って行った。
【００５０】
その結果を表２に示す。ヘパリン加血漿又はＥＤＴＡ加血漿のカウントを血清のカウントで割った後１００を掛けたものを、ヘパリン加血漿／血清、又は、ＥＤＴＡ加血漿／血清として示した。
その結果、硫酸化多糖の添加が無い検体希釈液だと、血清およびヘパリン加血漿とＥＤＴＡ加血漿では、可溶性インターロイキン２受容体の反応性が異なることがわかった。さらに、デキストラン硫酸（分子量２０，０００）は０．０００００４％以上０．０４％以下、デキストラン硫酸（分子量４，０００）は０．０００４％以上０．０４％以下、βシクロデキストリン硫酸塩は０．０２％以上０．４％以下添加されることにより、血清およびヘパリン加血漿はＥＤＴＡ加血漿の可溶性インターロイキン２受容体の反応性が一致することが確認された。血清とヘパリン加血漿及びＥＤＴＡ加血漿の反応性を一致させるには、硫酸基を持つ多糖類及びキレート剤の添加が必要であることが示された。
【００５１】
【表２】
0006697314.tif 000003
【００５２】
《比較例１：反応液への硫酸化多糖類又は硫酸基を持たない多糖類又は多糖類を持たず硫酸基を含む化合物の添加によるｓＩＬ−２Ｒの反応性への影響》
硫酸化多糖類又は硫酸基を持たない多糖類又は多糖類を持たず硫酸基を含む化合物を、反応液中に下記の濃度になるように検体希釈液に添加したこと以外は、参考例１に従って行った。
・硫酸化多糖類：デキストラン硫酸塩（分子量４０００）を、０．０４％になるように検体希釈液に添加した。βシクロデキストリン硫酸塩を、０．０４％になるように検体希釈液に添加した。
・硫酸基を持たない多糖類：デキストランを、０．０４％になるように検体希釈液に添加した。
・多糖類を持たず硫酸基を含む化合物：ＣＨＡＰＳＯを、０．０４％になるように検体希釈液に添加した。オクタン酸ナトリウムを、０．０４％になるように検体希釈液に添加した。それ以外は、参考例１に従って行った。
【００５３】
その結果を表３に示す。ヘパリン加血漿のカウントを血清のカウントで割った後１００を掛けたものを、ヘパリン加血漿／血清、ＥＤＴＡ加血漿のカウントを血清のカウントで割った後１００を掛けたものを、ＥＤＴＡ加血漿／血清として示した。添加無しの例だと、血清およびヘパリン加血漿とＥＤＴＡ加血漿では、可溶性インターロイキン２受容体の反応性が異なることがわかった。さらに、デキストラン硫酸（分子量４０００）やβシクロデキストリン硫酸塩などの、硫酸基を持つ多糖類（硫酸化多糖類）では血清とヘパリン加血漿の反応性が一致する（ヘパリン加血漿／血清が９９％あるいは１００％）が、デキストランやシクロデキストリンなどの硫酸基を持たない多糖類、あるいは、ＣＨＡＰＳＯやオクタン酸ナトリウムなどの多糖類を持たず硫酸基を含む化合物のみでは血清とヘパリン加血漿の反応性は一致しなかった（ヘパリン加血漿／血清が１３０％〜１３８％）。血清とヘパリン加血漿の反応性を一致させるには、硫酸基を持つ多糖類の添加が必要であることが示された。一方、いずれの物質を添加しても、血清とＥＤＴＡ加血漿の反応性は一致しなかった。
【００５４】
以上より、硫酸基を持つ多糖類のみで、血清・ヘパリン加血漿・ＥＤＴＡ加血漿の全ての可溶性インターロイキン２受容体の反応性を一致させることはできないが、硫酸基を持つ多糖類によって、その一部（血清とヘパリン化血漿）の反応性を一致させることができ、全て（血清・ヘパリン加血漿・ＥＤＴＡ加血漿）の反応性を一致させるための条件の一つになる可能性が示された。
【００５５】
【表３】
0006697314.tif 000004
【００５６】
《比較例２：反応液への硫酸基を持たない多糖類及び多糖類を持たず硫酸基を含む化合物の添加によるｓＩＬ−２Ｒの反応性への影響》
硫酸化多糖類と同様な反応性となるか、硫酸基を持たない多糖類及び多糖類を持たず硫酸基を含む化合物を、同時に反応液中に添加して検討した。硫酸基を持たない多糖類及び多糖類を持たず硫酸基を含む化合物を、下記の濃度になるように検体希釈液に添加したこと以外は、参考例１に従って行った。
・多糖類を持たず硫酸基を含む化合物：ＮＤＳＢ−１９５、ＮＤＳＢ−２０１、ＮＤＳＢ−２５６を、それぞれ０．３８５ｍｍｏｌ／Ｌ、３．８５ｍｍｏｌ／Ｌになるように検体希釈液に添加した。
・多糖類を持たず硫酸基を含む化合物及び硫酸基を持たない多糖類の混合：ＮＤＳＢ−１９５を３．８５ｍｍｏｌ／Ｌ、及び、デキストラン（分子量２０００）を０．１９％になるように検体希釈液に添加した。
【００５７】
その結果を表４に示す。ヘパリン加血漿のカウントを血清のカウントで割った後１００を掛けたものを、ヘパリン加血漿／血清、ＥＤＴＡ加血漿のカウントを血清のカウントで割った後１００を掛けたものを、ＥＤＴＡ加血漿／血清として示した。その結果、多糖類を持たず硫酸基を含む化合物では血清とヘパリン加血漿及び血清とＥＤＴＡ加血漿の測定値が一致しないこと、更に、硫酸基を持たない多糖類を添加した状態においても測定値が一致しないことがわかった。血清とヘパリン加血漿において、硫酸基を持たない多糖類及び多糖類を持たず硫酸基を含む化合物を共存させた場合では、比較例１の硫酸基を持つ多糖類のような効果は得られず、硫酸基を持つ多糖類を共存させた場合でないとこの高い効果が得られないことは、硫酸基と多糖類の存在によるものではないことから、意外な結果であった。
【００５８】
【表４】
0006697314.tif 000005
【００５９】
《比較例３：反応液へのキレート剤の添加によるｓＩＬ−２Ｒの反応性への影響》
各キレート剤を反応液中に下記の濃度になるように検体希釈液に添加したこと以外は、参考例１に従って行った。
・ＥＤＴＡを、０、０．００４、０．０１、０．０２、０．０４、０．０８、０．１５、０．３８、０．７７、１．９２、３．８５ｍｍｏｌ／Ｌになるように検体希釈液に添加した。
・ＣｙＤＴＡを、０、０．０４、０．０１、０．１９ｍｍｏｌ／Ｌになるように検体希釈液に添加した。
・ＴＴＨＡを、０、０．０４、０．１０、０．１９ｍｍｏｌ／Ｌになるように検体希釈液に添加した。
・ＥＧＴＡを、０、０．０４、０．１０、０．１９ｍｍｏｌ／Ｌになるように検体希釈液に添加した。
・ＤＰＴＡを、０、０．０４、０．１０、０．１９ｍｍｏｌ／Ｌになるように検体希釈液に添加した。
・ＮＴＡを、０、０．０４、０．１０、０．１９ｍｍｏｌ／Ｌになるように検体希釈液に添加した。それ以外は、参考例１に従って行った。
【００６０】
その結果を表５、表６に示す。ヘパリン加血漿の濃度を血清の濃度で割った後１００を掛けたものを、ヘパリン加血漿／血清、ＥＤＴＡ加血漿の濃度を血清の濃度で割った後１００を掛けたものを、ＥＤＴＡ加血漿／血清として示した。添加無しの例だと、血清およびヘパリン加血漿とＥＤＴＡ加血漿では、可溶性インターロイキン２受容体の反応性が異なることがわかった。
さらに、ＥＤＴＡでは、０．１５ｍｍｏｌ／Ｌ、３．８５ｍｍｏｌ／Ｌ、ＣｙＤＴＡでは、０．１９ｍｍｏｌ／Ｌ、ＴＴＨＡでは、０．１０ｍｍｏｌ／Ｌ、ＥＧＴＡでは、０．１９ｍｍｏｌ／Ｌ、ＤＰＴＡでは、０．１０〜０．１９ｍｍｏｌ／Ｌで、血清・ヘパリン加血漿・ＥＤＴＡ加血漿の全てで反応性が一致することがわかった。また、ＥＤＴＡでは、０．０８〜０．１５ｍｍｏｌ／Ｌ、１．９２〜３．８５ｍｍｏｌ／Ｌ、ＣｙＤＴＡでは、０．１０〜０．１９ｍｍｏｌ／Ｌ、ＴＴＨＡでは、０．０４〜０．１９ｍｍｏｌ／Ｌ、ＥＧＴＡでは、０．１９ｍｍｏｌ／Ｌ、ＤＰＴＡでは、０．１０〜０．１９ｍｍｏｌ／Ｌ、ＮＴＡでは、０．１９ｍｍｏｌ／Ｌで、血清とＥＤＴＡ加血漿で反応性が一致することがわかった。
以上より、キレート剤のみで、血清・ヘパリン加血漿・ＥＤＴＡ加血漿の全ての可溶性インターロイキン２受容体の反応性を一致させるためには、限られた条件のみしかなく、安定して試薬として臨床の現場に供給することが難しいが、キレート剤によって、その一部（特に血清とＥＤＴＡ加血漿）の反応性を一致させることができ、全て（血清・ヘパリン加血漿・ＥＤＴＡ加血漿）の反応性を一致させるための条件の一つになる可能性が示された。
【００６１】
【表５】
0006697314.tif 000006
【００６２】
【表６】
0006697314.tif 000007
【産業上の利用可能性】
【００６３】
本発明は、ｓＩＬ−２Ｒを検出する場合に、被検試料の種類（血清及びヘパリン加血漿及びＥＤＴＡ加血漿）に関わらず、検体中の干渉物質の影響を受けることなく、汎用的に簡便且つ高精度に測定結果を得ることができる。臨床検査は、簡便・迅速に測定される必要があり、検査室だけでなくＰＯＣＴ分野等においても測定される。例えば、血液試料を対象とすると、様々な状況で測定され得る可能性を考慮すると、該試料の採取に用いられる容器は多岐にわたるため、得られた検体の種類に関わらず、汎用的に血清やヘパリン加血漿やＥＤＴＡ加血漿を使用する上で、簡便且つ高精度に測定結果を得ることが可能となる本発明は特に有用である。